(57)【要約】【課題】外部導体の噛み込みを防止して他の電子機器の配線回路の短絡や損傷を可及的に防止する同軸コネクタを提供する。【解決手段】同軸ケーブル３１の内部導体３４と接続する接続端子２を有する金属製のシェル４と、該シェル４の一部に形成され、同軸ケーブル３１の外部導体３３を把持する把持部材（第一の把持部材１１）とを少なくとも有する同軸ケーブル用コネクタ１において、シェル４の一部に、該シェル４の周面４ｂに形成された切り欠４ｃを開閉する開閉部材４ｄを一体に形成し、該開閉部材４ｄにより切り欠４ｃを閉塞した際に、開閉部材４ｄの一部により外部導体３３を覆い、さらに把持部材１１により開閉部材４ｄを把持することにより同軸ケーブル３１の外部導体３３とシェル４との電気的接続を図るようにしている。【選択図】図１
2005158655.tif 000002
【特許請求の範囲】
【請求項１】
同軸ケーブルの内部導体と接続する接続端子を有する金属製のシェルと、該金属製のシェルの一部に形成され、前記同軸ケーブルの外部導体を把持する把持部材とを少なくとも有する同軸ケーブル用コネクタにおいて、
前記金属製のシェルの一部に、該金属製のシェルの周面に形成された切り欠を開閉する開閉部材を一体に形成し、
該開閉部材により前記切り欠を閉塞した際に、前記開閉部材の一部により前記外部導体を覆い、さらに前記把持部材により前記開閉部材を把持することにより前記同軸ケーブルの前記外部導体と前記金属製のシェルとの電気的接続を図るようにしたことを特徴とする同軸ケーブル用コネクタ。
【請求項２】
前記開閉部材の前記一部と前記把持部材とにより、前記同軸ケーブルの外部導体の周面全周を覆うようにしたことを特徴とする請求項（１）記載の同軸ケーブル用コネクタ。
【発明の詳細な説明】
【技術分野】
【０００１】
本発明は、携帯電話、パソコン、ＰＤＡ（Personal Digital Assistant）等の情報機器、家電製品等の小型電子機器に使用されるケーブル用中継コネクタに関し、特に、同軸ケーブルを接続するための同軸ケーブル用コネクタに関する。
【背景技術】
【０００２】
携帯電話、パソコン、ＰＤＡ等の情報機器、家電製品等の小型電子機器の内部配線には、同軸ケーブルが多数本使用されており、この同軸ケーブルは、通常、他のケーブルや基板等の各導体部と電気的に接続されて使用される。
【０００３】
従来から、同軸ケーブルの内部導体と他のケーブル等の各導体部とを電気的に接続させるための装置として、同軸ケーブル用コネクタが提案されている。
【０００４】
この従来の同軸ケーブル用コネクタでは、金属製のシェル内に、同軸ケーブルの内部導体に電気的に接続する接続端子を具えており、またその接続端子は、金属製の板ばねをそれぞれ折曲げ形成された一対の舌片から構成されている。
【０００５】
この同軸ケーブル用コネクタでは、同軸ケーブルの内部導体をシェルの開口部に嵌挿すると、内部導体は、接続端子である一対の舌片間に嵌挿するとともに該一対の舌片の弾発力によって該一対の舌片に把持されるので、これにより同軸ケーブルの内部導体と接続端子とが電気的接続される。
【０００６】
なお、この内部導体と接続した同軸ケーブル用コネクタは、別のケーブル用コネクタに嵌着可能であり、該別のケーブル用コネクタのコンタクト部に他のケーブル等の導体部を予め電気的接続しておき、この別のケーブル用コネクタに対し同軸コネクタを嵌着させると、上記接続端子とコンタクト部とが係合するので、これにより、同軸ケーブルの内部導体と他のケーブルの導体部との電気的接続を図ることができる。
【０００７】
また、従来の同軸ケーブル用コネクタは、その金属製のシェルに、同軸ケーブルの外部導体を把持する把持部材を具えている。（例えば、特許文献１参照。）。
【０００８】
この把持部材は、同軸ケーブルの内部導体と接続端子との電気的接続が図られた後、同軸ケーブルの外部導体を直接把持して、同軸ケーブルの外部導体とシェルとの電気的接続を図るものである。（例えば、特許文献１参照。）。
【特許文献１】特開２００２−３２４６３６号公報（第３頁〜第５頁、図４〜図５、図６（ｂ）、図７（ｂ）、図８、及び図１０）
【発明の開示】
【発明が解決しようとする課題】
【０００９】
ところで、従来の同軸ケーブル用コネクタでは、同軸ケーブルの内部導体と接続端子との電気的接続が図られた後、同軸ケーブルの外部導体を把持部材により直接把持させることにより、同軸ケーブルの外部導体とシェルとの電気的接続を図るようにしている。
【００１０】
そのため、従来の同軸ケーブル用コネクタに同軸ケーブルが接続した様子を示す概念断面図であって、特に同軸ケーブルの外部導体が把持部材を介してシェルと電気的接続した様子を示す図１２で示すように、同軸ケーブル３１の外部導体３３の一部がコネクタ５０の外部に向け露出し、その露出した外部導体３３が、該外部導体３３を把持する把持部材５１により噛み込まれて、コネクタ５０の外部へ飛び出すことがあった。  
なお、図１２では、後述する本願発明の実施例に係るコネクタ１と同一部分を同一符号で示している。
【００１１】
このように外部導体３３が飛び出すと、該外部導体３３が、他の電子機器の配線基板と接触して配線回路の短絡や損傷を引き起こすという問題があった。
【００１２】
この発明は、上述した事情に鑑み、外部導体の噛み込みを防止して他の電子機器の配線回路の短絡や損傷を可及的に防止する同軸コネクタを提供することを目的とする。
【課題を解決するための手段】
【００１３】
上述した課題を解決するため、この発明では、同軸ケーブルの内部導体と接続する接続端子を有する金属製のシェルと、該金属製のシェルの一部に形成され、前記同軸ケーブルの外部導体を把持する把持部材とを少なくとも有する同軸ケーブル用コネクタにおいて、前記金属製のシェルの一部に、該金属製のシェルの周面に形成された切り欠を開閉する開閉部材を一体に形成し、該開閉部材により前記切り欠を閉塞した際に、前記開閉部材の一部により前記外部導体を覆い、さらに前記把持部材により前記開閉部材を把持することにより前記同軸ケーブルの前記外部導体と前記金属製のシェルとの電気的接続を図るようにしている。
【発明の効果】
【００１４】
この発明に係わる同軸ケーブル用コネクタでは、金属製のシェルの一部に、該金属製のシェルの周面に形成された切り欠を開閉する開閉部材を一体に形成するとともに、該開閉部材により切り欠を閉塞した際に、開閉部材の一部により同軸ケーブルの外部導体を覆い、さらに把持部材により開閉部材を把持することにより同軸ケーブルの外部導体と前記金属製のシェルとの電気的接続を図るようにしたから、外部導体はその周面全周が開閉部材の前記一部と把持部材とにより覆われることとなって、外部導体の噛み込みは可及的に防止されるので、他の電子機器の配線回路の短絡や損傷が生じることは可及的に防止される。
【発明を実施するための最良の形態】
【００１５】
以下、この発明の同軸ケーブル用コネクタについて、実施例で詳述する。  
図１は、この発明に係る実施例の同軸ケーブル用コネクタの要部概念破断面図であって、特に、同軸ケーブルを接続した後の同軸コネクタの様子を示す図である。  
同軸ケーブル３１は、一般に、外被部３２に囲繞された外部導体３３内に、銅線からなる内部導体３４と、該銅線を直接囲繞する絶縁部３５とを具えている。
【００１６】
一方、同軸ケーブル用コネクタ（以下、単に「コネクタ」という。）１は、同軸ケーブル３１の内部導体３４と接続する接続端子２と、該接続端子２を絶縁部３を介して支承する金属製のシェル４とから構成されている。
【００１７】
図２は、図１のコネクタの概念斜視図で、同軸ケーブルを電気的接続する前のコネクタの初期状態の様子を示している。
【００１８】
このうちのシェル４は、シェル本体４ａから構成されている。シェル本体４ａの周面４ｂには、切り欠き４ｃが形成されている。また、シェル４の一部には、この切り欠４ｃを開閉する開閉部材４ｄがシェル本体４ａと一体形成されている。なお、図１で示す初期状態では開閉部材４ｄは切り欠４を開放させている。
【００１９】
また、シェル４には、外部導体３３を把持する第一の把持部材１１と、外被部３２を把持する第二の把持部材１２とが形成されている。また、一対の第一の把持部材１１間及び一対の第二の把持部材１２間のシェル４には、ケーブル支承溝４ｆが延設されている。また、シェル本体４ａには、図１で示すように、他のコネクタ４１（後述）のシェル４に係合する環状の係合溝５が形成されている。
【００２０】
図３は、図２の概念断面斜視図である。  
図３で示すように、接続端子２は金属製の板ばねを略くの字形状に折曲げて形成された対向する一対のコンタクト２ａ、２ｂから構成されている。
【００２１】
また、接続端子２とシェル４との間に配設される絶縁部３は、接続端子２の一方のコンタクト２ａを支持する絶縁部本体３ａと、該絶縁部本体３ａに対し他方のコンタクト２ｂ側に配設され、絶縁部本体３ａへ向け折曲げられる絶縁折曲げ部３ｂとから構成されている。  
なお、シェル絶縁部本体３ａには、他のコネクタ４１（後述）の接続端子４２と係合する係合溝６が形成されている。
【００２２】
次に、上述したコネクタ１に同軸ケーブル３１の内部導体３４を電気的に接続する方法及び同軸ケーブル３１の外部導体３３をシェル４に電気的に接続する方法について説明するとともに、コネクタ１の構造を詳細に説明する。
【００２３】
コネクタ１（図２）に同軸ケーブル３１の内部導体３４を電気的に接続するには、コネクタ１の概念斜視図である図４で示すように、同軸ケーブルの外部導体３３、絶縁部３５、および内部導体３４の各一部をそれぞれ露出させ、該同軸ケーブル３１をケーブル支承溝４ｆ内に配置する。
【００２４】
図５は、同軸ケーブルをケーブル支承溝内に配置させた様子を示すコネクタの要部概念斜視図であって、図４とは異なる角度からコネクタをみた様子を示す図である。また、図６は、図５の要部概念破断面図である。
【００２５】
同軸ケーブル３１をケーブル支承溝４ｆ内に配置すると、図６で示すように、同軸ケーブル３１の内部導体３４はコンタクト２ａ、２ｂ間に配置される。  
また、同軸ケーブル３１の外部導体３３は、図５及び図６で示すように、第一の把持部材１１が配設された位置のケーブル支承溝４ｆ内に配置される。  
また、同軸ケーブル３１の外被部３２は、第二の把持部材１２が配設された位置のケーブル支承溝４ｆ内に配置される。
【００２６】
次に、図５及び図６の各矢印Ａで示すように開閉部材４ｄをケーブル支承溝４ｆ側へ倒して、該開閉部材４ｄの一部により４ｄを閉塞する。
【００２７】
図７は、コネクタ１の要部概念破断面図であって、特に開閉部材の一部により切り欠を閉塞した様子を示す図である。  
図７で示すように、開閉部材４ｄにより切り欠４ｃを閉塞すると、絶縁折曲げ部３ｂが絶縁部本体３ａへ向け折り曲げられるとともに、接続端子２を構成する他方のコンタクト２ｂが、絶縁折曲げ部３ｂの折曲げ力によって、同軸ケーブル３１の内部導体３４を一方のコンタクト２ａに押しつける。そのため、一対のコンタクト２ａ、２ｂが弾性変形して同軸ケーブル３１の内部導体３４を把持し、これによって、同軸ケーブル３１の内部導体３４と接続端子２とが電気的接続する。
【００２８】
また、図７で示すように開閉部材４ｄにより切り欠４ｃが閉塞された際、同軸ケーブル３１の外部導体３３は開閉部材４ｄの一部により覆われる。
【００２９】
次に、コネクタ１（図７）の概念斜視図である図８の矢印Ｂで示すように、第一の把持部材１１をケーブル支承溝４ｆ側へ倒して開閉部材４ｄを把持させる。また、第二の把持部材１２を矢印Ｂで示すようにケーブル支承溝４ｆ側へ倒して外被部３２を把持させる。
【００３０】
図９は、このようにして第一の部材（図８）により開閉部材を把持し、第二の部材で外被部を把持したコネクタを示す概念斜視図であり、図１０は図９のコネクタの要部概念断面図である。
【００３１】
図９及び図１０で示すように、第一の部材１１が開閉部材４ｄを把持すると、同軸ケーブル３１の外部導体３３の周面（外周面）全周は、開閉部材４ｄの前記外部導体３３を覆う一部と、第一の把持部材１１とにより覆われる。そのため、同軸ケーブル３１の外部導体３３と金属製のシェル４との電気的接続が、開閉部材４ｄの前記一部及び第一の把持部材１１を介して図られることとなる。
【００３２】
また、このように同軸ケーブル３１の外部導３３体の周面全周が覆われると、従来のように、外部導体３３の一部がコネクタ１の外部に向け露出し、その露出した外部導体３３が第一の把持部材１１により噛み込まれることは可及的に防止される。そのため、第一の把持部材１１によって噛み込まれた外部導体３３がコネクタ１の外部へ飛び出し、外部導体３３が他の電子機器の配線基板と接触して配線回路の短絡や損傷が生じることは可及的に防止される。
【００３３】
また、このように同軸ケーブル３１と接続したコネクタ１は、図１１に示すように、他のコネクタ４１に嵌着可能である。
【００３４】
上記図１１は、同軸ケーブルに接続したコネクタ（図９）と、他の同軸ケーブルに接続した他のコネクタとを示す概念斜視図で特に、両コネクタを嵌着させる前の様子を示している。
【００３５】
他のコネクタ４１は、同軸ケーブル用コネクタである。該他のコネクタ４１は、上記コネクタ１と同様の方法で同軸ケーブル３１の内部導体３４と電気的接続された接続端子４２と、上記コネクタ１の同様の方法で、同軸ケーブル３１の外部導体３３と電気的接続された金属製のシェル４とから構成されている。  
また、他のコネクタ４１のシェル４には、その一端に、環状の係合部４３が形成されており、係合部４３の環内には前記接続端子４２が露出している。
【００３６】
このような他のコネクタ４１を矢印Ｃの方向へ移動させ、図１２で示すように、コネクタ１の係合溝５に他のコネクタ４１の係合部４３を係合させる。
【００３７】
すると、コネクタ１と他のコネクタ４１とが嵌着するとともに、コネクタ１の接続端子２と他のコネクタ４１の接続端子４２とが係合溝６（図１）内で接触し、接続端子２と接続端子４２とを電気的接続させることができる。そして、この接続端子２と接続端子４２の電気的接続により、コネクタ１に接続する同軸ケーブル３１の内部導体３４と他のコネクタ１に接続する内部導体３４とを電気的接続させることができる。  
また上述したようにコネクタ１の係合溝５と他のコネクタ４１の係合部４３とを係合させると、コネクタ１のシェル４と他のコネクタ４１のシェル４を介して、コネクタ１に接続する同軸ケーブル１の外部導体３３と、他のコネクタ４１に接続する同軸ケーブル１の外部導体３３とを電気的接続させることができる。  
なお、上記図１２は、図１１のコネクタと他のコネクタとを嵌着させて、同軸ケーブル同士を電気的接続した様子を示す図である。
【００３８】
なお、このコネクタ１では、上述のように、シェル４の開閉部材４ｄをケーブル支承溝４ｆ側へ倒し、絶縁折曲げ部３ｂの折曲げ力によってコネクタ１の接続端子２と同軸ケーブル３１の内部導体３４とを電気的接続するから、単に接続端子２の弾発力のみによって同軸ケーブル３１の内部導体３４を把持して電気的接続する場合に比べて内部導体３４を把持する力が大きい。そのため、同軸ケーブル３１の内部導体３４が接続端子２から離脱することは可及的に防止されている。したがって、同軸ケーブル３１の内部導体３４と接続端子２との電気的接続は確実であり、これにより同軸ケーブル３１の内部導体３４と他のケーブルの内部導体との電気的接続も確実にすることができる。  
また、このコネクタ１では、第一の把持部材１１により開閉部材４ｄを介して外部導体３３を把持し、これにより絶縁折曲げ部３ｂを折曲げた際の折曲げ力を保持するようにしている。そのため、上述のように同軸ケーブル３１の離脱が防止され電気的接続が確実になった同軸ケーブル３１の内部導体３４と接続端子２との該接続を、長時間維持することができる。  
さらに、シェル４の第二の把持部材１２は同軸ケーブル３１の外被部３２に直接係合するから、この係合によっても同軸ケーブル３１が接続端子２から離脱することを防止でき、これにより電気的接続が確実にされた同軸ケーブル３１の内部導体３４と接続端子２との該接続を、長時間維持することもできる。
【００３９】
以上で説明したように、この発明に係る同軸ケーブル用コネクタでは、金属製のシェル４の一部に、該金属製のシェル４の周面４ｂに形成された切り欠４ｃを開閉する開閉部材４ｄを一体に形成し、該開閉部材４ｄにより切り欠４ｃを閉塞した際に、開閉部材４ｄの一部により同軸ケーブル３１の外部導体３３を覆い、さらに第一の把持部材１１により開閉部材４ｄを把持することにより同軸ケーブル３１の外部導体３３と金属製のシェル４との電気的接続を図るようにしたから、外部導体３３はその周面全周が開閉部材４ｄの前記一部と把持部材４ｄとにより覆われることとなって、外部導体３３の噛み込みは可及的に防止されるので、他の電子機器の配線回路の短絡や損傷が生じることは可及的に防止される。
【００４０】
したがって、本発明によると、外部導体３３の噛み込みを防止して他の電子機器の配線回路の短絡や損傷を可及的に防止する同軸コネクタを提供することができる。
【００４１】
なお、この実施例ではシェル４の開閉部材４ｄは切り欠４ｃを閉塞し該開閉部材４ｄの一部により外部導体３３を覆う蓋状の部材として説明したが、この発明の同軸ケーブル用コネクタに用いられる開閉部材４ｄは、切り欠４ｃを閉塞し、開閉部材４ｄの一部により外部導体３３を覆うものであればよく、たとえば、開閉部材４ｄは、シェル絶縁部本体３ａとともに折り曲げて切り欠４ｃを閉塞し、開閉部材４ｄの一部により外部導体３３を覆うものであってもよい。
【産業上の利用可能性】
【００４２】
以上のように、本発明にかかる同軸コネクタは、外部導体の噛み込みを防止して他の電子機器の配線回路の短絡や損傷を可及的に防止する同軸ケーブル用コネクタとして、携帯電話、パソコン、ＰＤＡ等の情報機器、家電製品等の小型電子機器に有用である。
【図面の簡単な説明】
【００４３】
【図１】図１は、この発明に係る実施例の同軸ケーブル用コネクタの要部概念破断面図であって、特に、同軸ケーブルを接続した後の同軸コネクタの様子を示す図である。
【図２】図２は、図１のコネクタの概念斜視図で、同軸ケーブルを装着して電気的接続する前のコネクタの初期状態の様子を示す図である。
【図３】図３は、図２の概念断面斜視図である。
【図４】図４は、図１の同軸コネクタの概念斜視図であって、特に同軸ケーブルをケーブル支承溝内に配置した様子を示す図である。
【図５】図５は、同軸ケーブル３１をケーブル支承溝内に配置させた様子を示すコネクタの要部概念斜視図であって、図４とは異なる角度からみたコネクタをみた様子を示す図である。
【図６】図６は図５の要部概念破断面図である。
【図７】図７は、コネクタ１の要部概念破断面図であって、特に開閉部材の一部により切り欠を閉塞した様子を示す図である。
【図８】図８は、図７のコネクタの概念斜視図である。
【図９】図９は、図８のコネクタの第一の部材により開閉部材を把持し、第二の部材で外被部を把持した様子を示すコネクタの概念斜視図である。
【図１０】図１０は、図９のコネクタの要部概念断面図である。第一の部材で開閉部材を把持し、第二の部材で外被部を把持したコネクタと、該コネクタに嵌着する他の中継コネクタとを示す概念斜視図である
【図１１】図１１は、同軸ケーブルに接続した図９のコネクタ１と、他の同軸ケーブルに接続した他のコネクタとを示す概念斜視図で、特に両コネクタを嵌着させる前の様子を示す図である。
【図１２】図１２は、図１１のコネクタと他のコネクタとを嵌着させて、同軸ケーブル同士を電気的接続した様子を示す図である。
【図１３】図１３は、従来の同軸ケーブル用コネクタに同軸ケーブルが接続した様子を示す概念断面図であって、特に同軸ケーブルの外部導体が把持部材を介してシェルと電気的接続した様子を示す図である。
【符号の説明】
【００４４】
１…同軸ケーブル用コネクタ
２…接続端子
４…シェル
４ｂ…シェルの周面
４ｃ…切り欠
４ｄ…開閉部材
１１…把持部材（第一の把持部材）
３１…同軸ケーブル
３３…外部導体
３４…内部導体
【図１】
2005158655.tif 000003
【図２】
2005158655.tif 000004
【図３】
2005158655.tif 000005
【図４】
2005158655.tif 000006
【図５】
2005158655.tif 000007
【図６】
2005158655.tif 000008
【図７】
2005158655.tif 000009
【図８】
2005158655.tif 000010
【図９】
2005158655.tif 000011
【図１０】
2005158655.tif 000012
【図１１】
2005158655.tif 000013
【図１２】
2005158655.tif 000014
【図１３】
2005158655.tif 000015